(57)【要約】【課題】電線の切断や盗電などの人為的な被害や漏電事故などに対する安全性が高い電線入りフェンス１０を提供する。【解決手段】複数の支柱管１１と複数の接続管１２と複数の横架管１３と複数のフェンス本体１４とを有する。各接続管１２は両端が各支柱管１１の側部に接続され内部を電線および通信ケーブル１９が貫通している。各フェンス本体１４は各支柱管１１、各接続管１２および各横架管１３に固定されて各管の間を塞いでいる。各支柱管１１は下端から接地棒１７が突出している。各接続管１２は接地棒１７に電気的に接続されている。各横架管１３は両端が各支柱管１１に接続されて各接続管１２と間隔をあけて対向している。複数の支柱管１１は上部に通信用電気機器が設けられている。電線および通信ケーブル１９は支柱管１１の内部を通って通信用電気機器に接続されている。【選択図】図１
2005163524.tif 000002
【特許請求の範囲】
【請求項１】
複数の支柱管と複数の接続管と複数のフェンス本体とを有し、
各接続管は両端が各支柱管の側部に接続され内部を電線が貫通しており、
各フェンス本体は各支柱管および各接続管に固定されて各支柱管および各接続管の間を塞いでいることを、
特徴とする電線入りフェンス。
【請求項２】
前記複数の支柱管は下端から接地棒が突出した支柱管を含み、
各接続管は前記接地棒に電気的に接続されていることを、
特徴とする請求項1記載の電線入りフェンス。
【請求項３】
複数の横架管を有し、各横架管は両端が各支柱管に接続されて各接続管と間隔をあけて対向し、
各フェンス本体は各支柱管、各接続管および各横架管に固定されて各管の間を塞いでおり、
前記複数の支柱管は上部に通信用電気機器が設けられた支柱管を含み、
各接続管または各横架管の内部を通信ケーブルが貫通し、
前記電線および前記通信ケーブルは前記支柱管の内部を通って前記通信用電気機器に接続されていることを、
特徴とする請求項１または２記載の電線入りフェンス。
【請求項４】
前記複数の接続管は前記支柱管に制御ボックスを介して接続された接続管を含み、前記制御ボックスは開閉可能であって内部に前記通信用電気機器の制御装置が収納されていることを、
特徴とする請求項３記載の電線入りフェンス。
【請求項５】
複数の支柱管と複数の接続管と複数の横架管と複数のフェンス本体とを有し、
各接続管は両端が各支柱管の側部に接続され、
各横架管は両端が各支柱管に接続されて各接続管と間隔をあけて対向し、
電線または通信ケーブルの少なくとも一方が各接続管または各横架管の少なくとも一方の内部を貫通しており、
各フェンス本体は各支柱管、各接続管および各横架管に固定されて各管の間を塞いでいることを、
特徴とする電線入りフェンス。
【請求項６】
複数の支柱管と複数の接続管と複数の横架管と複数の中間横架管と複数のフェンス本体とを有し、
各接続管は両端が各支柱管の側部に接続され、
各横架管は両端が各支柱管に接続されて各接続管と間隔をあけて対向し、
各中間横架管は各接続管と各横架管との間で両端が各支柱管に接続され、
電線または通信ケーブルの少なくとも一方が各接続管、各横架管または各中間横架管のうちの少なくとも１つの内部を貫通しており、
各フェンス本体は各支柱管、各接続管および各横架管に固定されて各管の間を塞いでいることを、
特徴とする電線入りフェンス。
【発明の詳細な説明】
【技術分野】
【０００１】
本発明は、空港、港湾その他の公共設備や民間の工場施設などのセキュリティ対策に適した電線入りフェンスに関する。
【背景技術】
【０００２】
従来の電線入りフェンスとして、フレーム部材に長手方向に沿って配線収納部を形成したものがある（例えば、特許文献１参照）。
また、並設した支柱間に長尺の取付け金具を横架し、その取付け金具を電路として用いたものもある（例えば、特許文献２参照）。
【０００３】
【特許文献１】特開平１０−１０２６４４号公報
【特許文献２】特開平９−２３３６５４号公報
【発明の開示】
【発明が解決しようとする課題】
【０００４】
しかしながら、特許文献１に記載の電線入りフェンスは溝状の配線収納部の内部に電線を収納し、特許文献２に記載の電線入りフェンスは取付け金具を電路として用いるため、電線の切断や盗電などの人為的な被害を受けやすく、また、漏電事故が起こりやすいという課題があった。
【０００５】
本発明は、このような課題に着目してなされたもので、電線の切断や盗電などの人為的な被害や漏電事故などに対する安全性が高く、かつ施工コストの低廉化および施工期間の短縮を図ることができる電線入りフェンスを提供することを目的としている。
【課題を解決するための手段】
【０００６】
上記目的を達成するために、本発明に係る電線入りフェンスは、複数の支柱管と複数の接続管と複数のフェンス本体とを有し、各接続管は両端が各支柱管の側部に接続され内部を電線が貫通しており、各フェンス本体は各支柱管および各接続管に固定されて各支柱管および各接続管の間を塞いでいることを、特徴とする。
【０００７】
本発明に係る電線入りフェンスは、各フェンス本体が各支柱管および各接続管に固定されて各支柱管および各接続管の間を塞ぎ、フェンスとして機能している。電線は、各接続管の内部を貫通して、接続管により保護され、電線の切断や盗電などの人為的な被害や漏電事故などに対する安全性が高められている。なお、接続管は、メンテナンスを容易にするため、地上に配置されていることが好ましいが、安全対策を強化するため、地中に埋設されていてもよい。
【０００８】
接続管は、スチール、セラミック、コンクリート、強化プラスチック、その他、強度の高い材質から成ることが好ましく、特に、スチールのようなシールド効果が高い材質から成ることが好ましい。接続管は、接続部材を介して連結されていることが好ましいが、連続して伸びていてもよい。支柱管は、接続部材を貫通していることが好ましいが、支柱管を接続管が貫通していても、接続管を支柱管が貫通していてもよい。電線は、支柱管を通って地中化した電線に接続されていてもよい。各接続管の内部を電線とともに通信ケーブルが貫通していてもよい。
【０００９】
本発明に係る電線入りフェンスでは、前記複数の支柱管は下端から接地棒が突出した支柱管を含み、各接続管は前記接地棒に電気的に接続されていることが好ましい。この構成では、各接続管が接地棒に電気的に接続されているため、万が一、電線が漏電した場合にも、感電事故を防止することができる。なお、接地棒は、すべての支柱管に設けられていても、一部の支柱管にのみ設けられていてもよい。
【００１０】
本発明に係る電線入りフェンスは、複数の横架管を有し、各横架管は両端が各支柱管に接続されて各接続管と間隔をあけて対向し、各フェンス本体は各支柱管、各接続管および各横架管に固定されて各管の間を塞いでおり、前記複数の支柱管は上部に通信用電気機器が設けられた支柱管を含み、各接続管または各横架管の内部を通信ケーブルが貫通し、前記電線および前記通信ケーブルは前記支柱管の内部を通って前記通信用電気機器に接続されていることが好ましい。
【００１１】
この構成では、支柱管の上部の通信用機器が通信ケーブルおよび電線に接続されて機能する。通信ケーブルおよび電線は、各接続管または各横架管および支柱管により保護されているため、電線の切断や盗電などの人為的な被害や漏電事故などに対する安全性が高められている。横架管および支柱管は、接続管と同様に、強度が高く、シールド効果が高い材質から成ることが好ましい。通信用機器は、すべての支柱管に設けられていても、一部の支柱管にのみ設けられていてもよい。通信用機器は、１種類であっても、複数種類であってもよい。通信用機器としては、例えば、人検出センサ、マイク、電話機、監視カメラなどが適している。通信用機器は、通信ケーブルのみに接続されていてもよい。なお、本明細書において、通信ケーブルには、センサケーブルの意味を含んでいる。複数の支柱管は、上部に照明装置が設けられた支柱管を含んでいることが好ましい。支柱管または横架管は、侵入者を防ぐための忍び返しを有していてもよい。
【００１２】
本発明に係る電線入りフェンスでは、前記複数の接続管は前記支柱管に制御ボックスを介して接続された接続管を含み、前記制御ボックスは開閉可能であって内部に前記通信用電気機器の制御装置が収納されていることが好ましい。この構成では、制御ボックスから制御装置や、接続管および支柱管の内部を点検することができ、メンテナンスが容易である。制御ボックスは、施錠可能であることが好ましい。制御装置は、例えば、コネクタなどである。制御ボックスには、電線に接続された電源ブレーカ、漏電遮断器などが収納されてもよく、制御ボックスは修理器具などの保管庫として用いられてもよい。
本発明に係る電線入りフェンスは、空港、港湾、ガス・電力のエネルギープラント、上下水道その他の公共設備や、民間の工場施設などのセキュリティ対策に適している。
【００１３】
本発明に係る電線入りフェンスは、複数の支柱管と複数の接続管と複数の横架管と複数のフェンス本体とを有し、各接続管は両端が各支柱管の側部に接続され、各横架管は両端が各支柱管に接続されて各接続管と間隔をあけて対向し、電線または通信ケーブルの少なくとも一方が各接続管または各横架管の少なくとも一方の内部を貫通しており、各フェンス本体は各支柱管、各接続管および各横架管に固定されて各管の間を塞いでいてもよい。
【００１４】
本発明に係る電線入りフェンスは、複数の支柱管と複数の接続管と複数の横架管と複数の中間横架管と複数のフェンス本体とを有し、各接続管は両端が各支柱管の側部に接続され、各横架管は両端が各支柱管に接続されて各接続管と間隔をあけて対向し、各中間横架管は各接続管と各横架管との間で両端が各支柱管に接続され、電線または通信ケーブルの少なくとも一方が各接続管、各横架管または各中間横架管のうちの少なくとも１つの内部を貫通しており、各フェンス本体は各支柱管、各接続管および各横架管に固定されて各管の間を塞いでいてもよい。
【００１５】
中間横架管は、当初から設けられても前述の電線入りフェンスが施工された後に追加して設けられてもよい。この構成では、中間横架管により全体の構造を強化することができるが、中間横架管は補強の機能を有していなくてもよい。また、接続管、横架管および中間横架管のどれに電線等が通っているか判断しにくいため、電線の切断などの破壊活動に対する安全性を高めることができる。中間横架管は、１本から成っても、並列に配置された複数本から成ってもよい。
接続管、横架管および中間横架管は、寒暖の差による伸縮に対応するため、伸縮可能な蛇腹部を有していてもよい。また、それらの両端が各支柱管の側部にスライド可能に接続されていてもよい。
前述の支柱管、接続管、横架管、中間横架管、フェンス本体、接地棒、通信用電気機器および制御ボックスは、いかなる組み合わせで構成してもよい。
【発明の効果】
【００１６】
本発明によれば、電線の切断や盗電などの人為的な被害や漏電事故などに対する安全性が高い電線入りフェンスを提供することができる。
【発明を実施するための最良の形態】
【００１７】
以下、図面に基づき、本発明の実施の形態について説明する。
図１乃至図５は、本発明の実施の形態の電線入りフェンス１０を示している。
図１に示す電線入りフェンス１０は、複数の支柱管１１と複数の接続管１２と複数の横架管１３と複数のフェンス本体１４とを有している。各支柱管１１は、シールド効果の高いスチール管から成り、並列に所定の間隔で立設される。各支柱管１１の上端は、蓋１１ａで塞がれている。各支柱管１１の下部には、制御ボックス（制御盤）１５が設けられている。図２に示すように、制御ボックス１５は、箱状であって、開閉可能な扉１５ａを有している。制御ボックス１５の対向する２つの側面には、接続管１２の接続孔１５ｂが形成されている。各支柱管１１は、制御ボックス１５を縦方向に貫通しており、制御ボックス１５の内部の側部に電線および通信ケーブルを通すための開口１１ａを有している。支柱管１１の下端には土台１６が固定され、土台１６は地中に埋設されている。接地棒１７が、支柱管１１の下端から突出している。接地棒１７は、土台１６を貫通して接地され、土台１６により支柱管１１に固定されている。
【００１８】
各支柱管１１は、上部に通信用電気機器（図示せず）が設けられている。通信用電気機器は、人検出センサ、マイク、スピーカ、監視カメラなどから成っている。通信用電気機器のコネクタなどの制御装置（図示せず）は、制御ボックス１５の内部に収納されている。その他、制御ボックス１５の内部には、電線に接続された電源ブレーカ、漏電遮断器などが収納されている。各支柱管１１の上部には、照明装置も取り付けられている。図３に示すように、支柱管１１の上端には、侵入者を防ぐための忍び返し１８を取り付けることができる。
【００１９】
各接続管１２は、シールド効果の高いスチール管から成っている。各接続管１２は、両端が各支柱管１１の下部の側部に制御ボックス１５を介して接続され、横方向に連続して伸びている。各接続管１２には、所定の間隔で脚部１２ａが固定されている。各接続管１２は、制御ボックス１５の側面の接続孔１５ｂに固定され、制御ボックス１５の内部と連通している。各接続管１２の内部を電線および通信ケーブル１９が貫通している。電線および通信ケーブル１９は、支柱管１１の内部を通って通信用電気機器に接続されている。各接続管１２は、アース線を介して接地棒１７に電気的に接続されている。
【００２０】
各横架管１３は、両端が各支柱管１１の上部の側部に接続されて、各接続管１２と間隔をあけて平行に対向している。各横架管１３は、各支柱を挟んで横方向に連続して伸びている。
各フェンス本体１４は、金網から成り、各支柱管１１、各接続管１２および各横架管１３に固定されて各管１１，１２，１３による四角形の枠の間を塞いでいる。各フェンス本体１４は、各支柱管１１を挟んで横方向に連続して伸びている。
【００２１】
図４に示すように、支柱管１１の上部には、照明装置、センサーまたは監視カメラ等２１が取り付けられている。また、支柱管１１には、非常用電話２２が取り付けられている。なお、図４に示す電線入りフェンス１０では、電線および通信ケーブル１９は電源ケーブル１９ａおよび通信・制御ケーブル１９ｂから成り、電源ケーブル１９ａは接続管１２の内部を通され、通信・制御ケーブル１９ｂは横架管１３の内部を通されている。
【００２２】
次に、作用について説明する。
図１乃至図５に示すように、電線入りフェンス１０は、各フェンス本体１４が各支柱管１１、各接続管１２および横架管１３に固定されて各管１１，１２，１３の間を塞ぎ、セキュリティ用のフェンスとして機能している。電線および通信ケーブル１９は、各接続管１２の内部を貫通して、接続管１２により保護され、電線の切断や盗電などの人為的な被害や漏電事故などに対する安全性が高められている。通信ケーブル１９は、各支柱管１１および各接続管１２によりシールドされ、外部のノイズの影響を受けない。
【００２３】
また、電線入りフェンス１０では、各接続管１２が接地棒１７に電気的に接続されているため、万が一、電線が漏電した場合にも、感電事故を防止することができる。また、落雷による事故の場合にも、被害を最小限に抑えることができる。
【００２４】
電線入りフェンス１０では、支柱管１１の上部の通信用電気機器が電線および通信ケーブル１９に接続されてそれぞれ機能する。人検出センサにより、テロリストなどの不審者の接近を検出し、監視カメラで確認して、スピーカで警告することができる。不審者の話す声は、マイクを通して聞くことができる。電線および通信ケーブル１９は、各接続管１２または各横架管１３および支柱管１１により保護されているため、電線および通信ケーブル１９の切断や盗電などの人為的な被害や漏電事故などに対する安全性が高められている。
【００２５】
従来の一般的な侵入防止フェンスでは、図５（Ａ）に示すように、フェンス本体１の支柱２の基礎３および制御盤４の基礎５を地中に埋設し、フェンス本体１に隣接させて制御盤４を設置している。制御盤４から伸びる埋設ケーブル６は、保護パイプの中を通って地中に埋設されている。これに対し、電線入りフェンス１０では、図５（Ｂ）に示すように、制御ボックス１５は支柱管１１の下部に固定されており、電線および通信ケーブル１９は接続管１２の内部を通っている。このため、電線入りフェンス１０では、電線および通信ケーブル１９の埋設の必要がないことから、従来の侵入防止フェンスに比べて工事費のコストダウンおよび工事期間の短縮を図ることができる。また、図５（Ａ）（ａ）に示すように、従来の侵入防止フェンスでは埋設ケーブル６のための設置スペースを必要とするのに対し、電線入りフェンス１０では、図５（Ｂ）（ｂ）に示すように設置面積の省スペース化を図ることができる。
【００２６】
メンテナンスの際には、制御ボックス１５から制御装置や、接続管１２および支柱管１１の内部を点検することができ、メンテナンスが容易である。従来の電線を地中化した設備では、メンテナンスや故障のたびに地面を掘り返す作業が必要であったが、電線入りフェンス１０ではそのような労力の必要がなくなり、作業が容易である。
【００２７】
電線入りフェンス１０は、種々の形式の施工が可能である。
図６に示す施工例では、通信・制御ケーブル１９ｂを光ファイバーで構成し、電線入りフェンス１０のコーナー部分を挟む２本の支柱管１１に管理ボックス２２を設けてある。通信・制御ケーブル１９ｂは、横架管１３ａの内部を通されて管理ボックス２２の内部に一部をたるませて収容してある。
【００２８】
図７に示す施工例では、電線入りフェンス１０のコーナー部分で接続管１２および横架管１３ｂは緩やかに湾曲しており、電源ケーブル１９ａおよび通信・制御ケーブル１９ｂは横架管１３ｂの内部を通されている。電源ケーブル１９ａおよび通信・制御ケーブル１９ｂは、接続管１２および横架管１３ｂが緩やかに湾曲しているため、折れ曲がることなく、材料に負担がかからない。
【００２９】
図８に示す施工例では、電線入りフェンス１０のコーナー部分で、接続管１２および横架管１３ｃを支持するための支持部材２３，２４が支柱管１１に架け渡して固定されている。接続管１２および横架管１３ｃは、電線入りフェンス１０のコーナー部分で支持部材２３，２４により支持されて緩やかに湾曲している。電源ケーブル１９ａおよび通信・制御ケーブル１９ｂは、横架管１３ｂの内部を通されている。電源ケーブル１９ａおよび通信・制御ケーブル１９ｂは、接続管１２および横架管１３ｃが緩やかに湾曲しているため、折れ曲がることなく、材料に負担がかからない。
【００３０】
図９に示す施工例で、電線入りフェンス１０は、複数の中間横架管２５を有している。各中間横架管２５は、各接続管１２と各横架管１３との間でそれらと平行に配置され、両端が各支柱管１１に接続されている。各中間横架管２５の内部を電線が貫通している。中間横架管２５は、図１乃至図５に示す前述の電線入りフェンス１０が施工された後に追加して設けることができる。中間横架管２５により、電線入りフェンス１０全体の構造を強化することができる。また、接続管１２、横架管１３および中間横架管２５のどれに電線等が通っているか判断しにくいため、電線の切断などの破壊活動に対する安全性を高めることができる。なお、図９に示す電線入りフェンス１０は、それぞれ異なる支柱管１１の上部に、照明装置２１ａまたは監視カメラ２１ｂが取り付けられている。接続管１２の下側の間隙は、侵入防止部材２６で塞がれている。各支柱管１１の上端の忍び返し１８の間には、有刺鉄線１８ａが張られている。
【００３１】
電線入りフェンス１０は、空港、港湾、ガス・電力のエネルギープラント、上下水道その他の公共設備や、民間の工場施設などのセキュリティ対策に適している。電線入りフェンス１０をそれらに適用することにより、それぞれ以下の利点がある。（１）空港では、広大な敷地に電線および通信ケーブル１９を埋設したり架空したりする必要がなくなる。（２）港湾では、電線および通信ケーブル１９の強度を保持し、腐食等から守ることができる。（３）ガス・電力のエネルギープラントでは、電源や回線の増設や撤去が容易である。（４）工場では、監視や制御等の情報化に対応しやすい。（５）公共施設では、電線および通信ケーブル１９とフェンスとの共用ができる。（６）学校では、省スペースで工期も短くて済む。
【００３２】
電線入りフェンス１０は、照明・防犯システム、緊急通報・無線ＬＡＮ、各種センサー・監視カメラ等を組み合わせて利用することができる。また、材質、高さ、強度、応力等について、種々の設定が可能である。
【図面の簡単な説明】
【００３３】
【図１】本発明の実施の形態の電線入りフェンスの一部切欠断面図である。
【図２】図１に示す電線入りフェンスの支柱管の下端周辺の構成を示す正面図である。
【図３】図１に示す電線入りフェンスの斜視図である。
【図４】図１に示す電線入りフェンスの施工状態を示す斜視図である。
【図５】（Ａ）従来工法によるフェンスの（ａ）概略正面図、（ｂ）概略横断面図、（Ｂ）図１に示す電線入りフェンスの（ａ）概略正面図、（ｂ）概略横断面図である。
【図６】本発明の実施の形態の電線入りフェンスのコーナー部分の施工例を示す斜視図である。
【図７】本発明の実施の形態の電線入りフェンスのコーナー部分の他の施工例を示す斜視図である。
【図８】本発明の実施の形態の電線入りフェンスのコーナー部分のさらに他の施工例を示す斜視図である。
【図９】本発明の実施の形態の電線入りフェンスの他の施工例を示す斜視図である。
【符号の説明】
【００３４】
１０  電線入りフェンス
１１  支柱管
１２  接続管
１３  横架管
１４  フェンス本体
１５  制御ボックス
１６  土台
１７  接地棒
１８  忍び返し
１９  電線および通信ケーブル
２１  照明装置、センサーまたは監視カメラ
【図１】
2005163524.tif 000003
【図２】
2005163524.tif 000004
【図３】
2005163524.tif 000005
【図４】
2005163524.tif 000006
【図５】
2005163524.tif 000007
【図６】
2005163524.tif 000008
【図７】
2005163524.tif 000009
【図８】
2005163524.tif 000010
【図９】
2005163524.tif 000011